(57)【要約】【課題】端面キャップへのまくらぎの抜き差し時に生じる抵抗を、簡単な構成で抑える。【解決手段】まくらぎ支持構造１は、道床に間隙材５１，５２及び防振マット６を載置すると共に間隙材５１上に端面キャップ４を載置し、縁切り材３を接着剤等で取り付けたまくらぎ２の左右の端部を端面キャップ４に嵌め合わせた状態で、道床にコンクリートを打設し、端面キャップ４をコンクリートに埋設することで構成されている。まくらぎ２の取付部２２に取り付けられた縁切り材３は、端面板３１の内面を取付部２２の左右の端面に密着させ、前後の側面板３２の内面を取付部２２の前後の側面に密着させている。また、側面板３２の上面３２ａを取付部２２の上縁部の傾斜面２２ａに、端面板３１の上面を取付部２２の左右の端面の上縁部にそれぞれ嵌め合わせている。【選択図】図１
2011179185.tif 000002
【特許請求の範囲】
【請求項１】
道床に固定された端面キャップにまくらぎの端部を嵌め合わせ、前記道床に載置された弾性材で前記まくらぎを支持するまくらぎ支持構造であって、
前記まくらぎの前記端部には、前記端面キャップへの前記端部の抜き差し時に前記端面キャップと前記端部とを隔てて、前記端面キャップに摺接して滑動する縁切り材が取り付けられていることを特徴とするまくらぎ支持構造。
【請求項２】
前記縁切り材には、凹部又は凸部を設けて構成された嵌合部が設けられており、
前記まくらぎには、前記嵌合部に嵌め合わされる被嵌合部が設けられていることを特徴とする請求項１に記載のまくらぎ支持構造。
【請求項３】
前記まくらぎには、前記縁切り材が嵌め合わされる段差部が設けられており、
前記段差部の前記縁切り材が嵌め合わされる縁部には傾斜面が設けられ、
前記縁切り部の前記段差部が嵌め合わされる縁部には前記傾斜面を受ける傾斜面が設けられていることを特徴とする請求項１又は２に記載のまくらぎ支持構造。
【請求項４】
前記縁切り材は、前記端面キャップに対する前記端部の挿入方向側に位置した縁部に、前記まくらぎ側に向けて傾斜した傾斜面、又は、前記まくらぎ側に向けて屈曲した傾斜した屈曲面を備えることを特徴とする請求項１〜３の何れかに記載のまくらぎ支持構造。
【請求項５】
請求項１〜４の何れかに記載の縁切り材。
【請求項６】
請求項１〜４の何れかに記載の端面キャップ。
【発明の詳細な説明】
【技術分野】
【０００１】
本発明は、道床に固定された端面キャップにまくらぎの端部を嵌め合わせ、道床に載置された弾性材で前記まくらぎを支持するまくらぎ支持構造に関する。
【背景技術】
【０００２】
レールを支持するまくらぎは、道床に埋め込まれた端面キャップに端部を嵌め合わされ、下面を弾性材で支持されて道床に設置され、ボルト等の固着具で道床に固定される。このようなまくらぎの支持構造では、まくらぎや弾性材を交換する保守作業時に、端面キャップに対してまくらぎを着脱する必要がある。
【０００３】
まくらぎを弾性支持して振動を抑えるために、端面キャップがゴム材等の弾性材から形成されていることから、まぐらぎの抜き差し時には端面キャップとまくらぎとが接触して大きな抵抗が生じる。このため、下記の特許文献１では、端面キャップとしてのコ字型弾性保持材の内面に複数の突起を設け、この突起でまくらぎを支持することで、まぐらぎの抜き差し時に生じる抵抗を抑えている。
【０００４】
【特許文献１】特開昭５９−６４１号公報
【発明の概要】
【発明が解決しようとする課題】
【０００５】
特許文献１のまくらぎの支持構造では、弾性材から形成された突起がまぐらぎの抜き差し時に損傷して十分な防振効果を得られない虞があり、また、損傷した端面キャップの交換に手間がかかるという問題があった。
【０００６】
本発明は斯かる課題に鑑みてなされたもので、上記課題を解決することのできるまくらぎの支持構造を提供することである。
【課題を解決するための手段】
【０００７】
このような目的を達成するために、本発明のまくらぎ支持構造は、道床に固定された端面キャップにまくらぎの端部を嵌め合わせ、前記道床に載置された弾性材で前記まくらぎを支持するまくらぎ支持構造であって、前記まくらぎの前記端部には、前記端面キャップへの前記端部の抜き差し時に前記端面キャップと前記端部とを隔てて、前記端面キャップに摺接して滑動する縁切り材が取り付けられていることを特徴とする。
また、本発明は、前記縁切り材には、凹部又は凸部を設けて構成された嵌合部が設けられており、前記まくらぎには、前記嵌合部に嵌め合わされる被嵌合部が設けられていることを特徴とする。
また、本発明は、前記まくらぎには、前記縁切り材が嵌め合わされる段差部が設けられており、前記段差部の前記縁切り材が嵌め合わされる縁部には傾斜面が設けられ、前記縁切り部の前記段差部が嵌め合わされる縁部には前記傾斜面を受ける傾斜面が設けられていることを特徴とする。
また、本発明は、前記縁切り材は、前記端面キャップに対する前記端部の挿入方向側に位置した縁部に、前記まくらぎ側に向けて傾斜した傾斜面、又は、前記まくらぎ側に向けて屈曲した傾斜した屈曲面を備えることを特徴とする。
【発明の効果】
【０００８】
本発明は上記の通り、端面キャップに摺接して滑動する縁切り材を、端面キャップと端部とを隔てるように端部に取り付けるという簡単な構成で、端面キャップへの端部の抜き差し時に生じる抵抗を抑えることができる。
【図面の簡単な説明】
【０００９】
【図１】本発明の一実施形態のまくらぎ支持構造を示す図であり、（ａ）は左右方向に沿った端部の断面図，（ｂ）は端部の平面図，（ｃ）は前後方向に沿った端部の断面図である。
【図２】図１の縁切り材を示す図であり、（ａ）は平面図，（ｂ）は右側面図，（ｃ）は正面図である。
【図３】図１の端面キャップを示す図であり、（ａ）は左側面図，（ｂ）は平面図，（ｃ）は正面図である。
【図４】図１の間隙材を示す図であり、（ａ）は平面図，（ｂ）は正面図である。
【図５】図１に示す間隙材を示す図であり、（ａ）は平面図，（ｂ）は正面図である。
【図６】縁切り材の変形例を示す第１の図であり、（ａ）は第１の変形例，（ｂ）は第２の変形例，（ｃ）は第３の変形例を示している。
【図７】縁切り材の変形例を示す第２の図であり、（ａ）は第４の変形例，（ｂ）は第５の変形例を示している。
【発明を実施するための形態】
【００１０】
以下、図面に基づいて本発明の一実施形態を説明する。
図１は、本実施形態のまくらぎ支持構造１を示す図である。図２は、縁切り材を示す図である。図３は、端面キャップを示す図である。図４は、間隙材を示す図である。図５は、間隙材を示す図である。なお、以下の説明で用いる上下，前後，及び左右の各方向は説明に用いる各図に示している。この上下，前後，左右は説明のために記載したもので、実際の配置と異なってよいことはもちろんである。
【００１１】
図１に示すまくらぎ支持構造１は、道床７に間隙材５１，５２及び防振マット６を載置すると共に間隙材５１上に端面キャップ４を載置し、縁切り材３を接着剤等で取り付けたまくらぎ２の左右の端部を端面キャップ４に縁切り材３を介して嵌め合わせた状態で、道床７にコンクリートを打設し、端面キャップ４をコンクリートに埋設することで構成されている。
【００１２】
まくらぎ２は、コンクリートで形成されており、縁切り材３を取り付けられる取付部２２が左右の端部に設けられている。まくらぎ２の左側の取付部２２は、まくらぎ２の左端部の前後の側面の下部を矩形に切り欠いた形状を有している。取付部２２の上縁部は、外側から内側にかけて下方に傾斜した傾斜面２２ａとなっている。また、取付部２２の右縁部は、右側から左側にかけて内方に傾斜した傾斜面２２ｂとなっている。まくらぎ２の右側の取付部２２は、上述した取付部２２の左右を逆転させた構成を有しており、上縁部には傾斜面２２ａを、左縁部には傾斜面２２ｂをそれぞれ備えている。
【００１３】
縁切り材３は、まくらぎ２の左右の取付部２２に取り付けられてまくらぎ２の左右の端部の下部の外周面を覆う部材であり、スチレンブタジエンゴム（ＳＢＲ）等の硬質ゴム又は繊維強化プラスチック（ＦＲＰ）から形成されている。まくらぎ２の左側の取付部２２に取り付けられる縁切り材３は、矩形の平板体をコの字に屈曲させた形状を有しており、端面板３１の右側面の前後の縁部から一対の側面板３２を右方に延出させている。側面板３２の上面３２ａは、前後方向の外縁から内縁にかけて下方に向けて傾斜している。また、側面板３２の右側面３２ｂは、前後方向の外縁から内縁にかけて左方に向けて傾斜している。また、側面板３２の左端部には、右側から左側にかけて側面板３２の内面を内側に向けて傾斜させてコーナー部３２ｃが形成されている。
【００１４】
まくらぎ２の右側の取付部２２に取り付けられる縁切り材３は、上述した縁切り材３の左右を逆転させた構成を有しており、前後方向の外縁から内縁にかけて下方に向けて傾斜た上面３２ａと、前後方向の外縁から内縁にかけて右方に向けて傾斜した左側面３２ｂと、左側から右側にかけて側面板３２の内面を内側に向けて傾斜させたコーナー部３２ｃとを側面板３２に備えている。
【００１５】
まくらぎ２の取付部２２に取り付けられた縁切り材３は、端面板３１の内面をまくらぎ２の左右の端面に密着させ、前後の側面板３２の内面を取付部２２の前後の側面に密着させている。また、側面板３２の上面３２ａを取付部２２の上縁部の傾斜面２２ａに、右側面３２ｂを取付部２２の左右の縁部の傾斜面２２ｂにそれぞれ嵌め合わせている。
【００１６】
端面キャップ４は、まくらぎ２の左右の端部が嵌め込まれて、まくらぎ２を弾性支持する部材であり、硬質ウレタンゴム等の弾性材から形成されている。まくらぎ２の左端部が嵌め込まれる端面キャップ４は、矩形の平板体をコの字に屈曲させた形状を有しており、端面部４１の右側面の前後の縁部から一対の側面部４２を右方に延出させている。端面部４１及び側面部４２の外側面には、上下の高さ方向中央部に沿って延びる係止凸部４３が設けられている。係止凸部４３は、矩形の断面形状を有しており、前側の側面部４２の右端部から端面部４１を通って後側の側面部４２の右端部にまで延びている。まくらぎ２の右端部が嵌め込まれる端面キャップ４は、上述した端面キャップ４の左右を逆転させた構成を有しており、端面部４１及び側面部４２の外側面に係止凸部４３を備えている。
【００１７】
間隙材５１は、発泡ポリエチレン等のクッション材から形成されており、矩形の平板状を呈している。まくらぎ２の左端部が載置される間隙材５１は、左側の端面キャップ４の下端と道床７との間に挟み込まれる延出部５１ａを備えている。まくらぎ２の右端部が載置される間隙材５１は、上述した間隙材５１の左右を逆転させた構成を有しており、右側の端面キャップ４の下端と道床７との間に挟み込まれる延出部５１ａを備えている。間隙材５２は、発泡ポリエチレン等のクッション材から形成されており、矩形の平板状を呈している。防振マット６は、発泡ポリエチレン等のクッション材から形成されており、矩形の平板状を呈している。
【００１８】
このような構成を有したまくらぎ支持構造１では、まくらぎ２の左右の端部を端面キャップ４から上方に引き抜くと、取付部２２に取り付けられた縁切り材３が、端面キャップ４とまくらぎ２の左右の端部とを隔てた状態で、端面キャップ４に摺接して滑動する。また、まくらぎ２の左右の端部を端面キャップ４内に挿入すると、縁切り材３が端面キャップ４とまくらぎ２の左右の端部とを隔てた状態で、端面キャップ４に摺接して滑動する。縁切り材３が端面キャップ４に対して滑動することで、端面キャップ４へのまくらぎ２の抜き差し時に生じる抵抗が抑えられる。
【００１９】
本実施形態によれば、端面キャップ４に摺接して滑動する縁切り材３を、端面キャップ４とまくらぎ２の端部とを隔てるように取り付けるという簡単な構成で、端面キャップ４へのまくらぎ２の抜き差し時に生じる抵抗を抑えることができる。しかも、まくらぎ２の端部に縁切り材３を取り付けることから、端面キャップ４への抜き差し等で縁切り材３が損傷した際の交換も容易に行うことができる。
【００２０】
また、本実施形態によれば、取付部２２の上縁部に傾斜面２２ａを、右縁部に傾斜面２２ｂをそれぞれ設けることで、取付部２２の上縁部及び左右の縁部に欠けが生じるのを防止することができる。
【００２１】
上記実施形態では、まくらぎ２の取付部２２に接着剤等で縁切り材３を取り付けている場合について説明した。しかしながら、まくらぎ２の取付部２２への縁切り材３の取付方法は任意であり、例えば図６（ａ）に示すように、縁切り材３に嵌合突起３３を設け、取付部２２に形成された嵌合凹部に嵌合突起３３を嵌め合わせて、縁切り材３を取付部２２に取り付けてもよい。図６（ａ）に示す嵌合突起３３は、半円形の断面形状を有しており、側面板３２の内面の左端から右端にかけて、側面板３２の上下方向の中央部に沿って延びている。また、縁切り材３に設けた嵌合凹部を取付部２２に形成された嵌合突起に嵌め合わせて、縁切り材３を取付部２２に取り付けてもよい。また、嵌合突起３３の形状は任意であり、台形，半円形等の断面形状としてもよく、複数列の嵌合突起３３を縁切り材３に設けてもよい。
【００２２】
この構成によれば、取付部２２に設けられた嵌合部を縁切り材３の被嵌合部に嵌め合わせて、縁切り材３を取付部２２に固定していることから、縁切り材３を取付部２２に着脱するという簡単な作業で縁切り材３の交換を行える。
【００２３】
また、まくらぎ２の取付部２２に取り付けられた縁切り材３を端面キャップ４に嵌め込み易いように、図６（ｂ）に示すように、側面板３２の下端部の外縁に曲面部３４を設けてもよい。また、図６（ｃ）に示すように、側面板３２及び側面板３２の下端部に、下端側にかけて外面が徐々に内側に傾斜した肉薄部３５を設けてもよい。また、端面板３１から側面板３２が延びる部分の縁切り材３の角部の外面に、図７（ａ）に示すように曲面部３６を設けたり、図７（ｂ）に示すように傾斜部３７を設けてもよい。
【００２４】
上記実施形態では、取付部２２の上縁部及び左右の縁部に欠けが生じるのを避けるために、側面板３２に傾斜した上面３２ａ，右側面３２ｂを設け、これらの上面３２ａ，右側面３２ｂに嵌め合わされるように取付部２２の前後の上縁部及び左右の縁部に傾斜面２２ａ，２２ｂを設けた場合について説明した。しかしながら、端面板３１もまくらぎ２に埋め込まれるように取り付ける場合、つまり、まくらぎ２の左右の端面にも取付部２２を設ける場合には、端面板３１の上端面も側面板３２の上面３２ａと同様に外縁から内縁にかけて下方に向けて傾斜させ、この傾斜面と嵌め合わされる傾斜面をまくらぎ２の端面の取付部２２の上縁部に設けてもよい。
【符号の説明】
【００２５】
１………まくらぎ支持構造
２………まくらぎ
２２………取付部（段差部）
２２ａ………嵌合凹部
３………縁切り材
３１………端面板
３２………側面板
３２ａ………上面
３２ｂ………右側面
３２ｃ………コーナー部
４………端面キャップ
４１………端面部
４２………側面部
４３………係止凸部
５１………間隙材
５１ａ………延出部
５２………間隙材
６………防振マット
【図１】
2011179185.tif 000003
【図２】
2011179185.tif 000004
【図３】
2011179185.tif 000005
【図４】
2011179185.tif 000006
【図５】
2011179185.tif 000007
【図６】
2011179185.tif 000008
【図７】
2011179185.tif 000009